(57)【要約】【課題】内部に育苗中の苗を固定する播種培地を納めて栽培パレットに装着するものとして、苗全体が倒れることを防いで育苗中の苗を安定して支保できるとともに、隣接する苗の根絡みや葉同士の干渉を防ぐことができる。【解決手段】内部に育苗中の苗５を固定する播種培地４を納めて栽培パレット２に装着するものとして、両端の開口端部のうちの一方側が他方側よりも大径なものになっているメガホン状の内筒１１であり、外筒１２を上方にスライド可能に被嵌させた。【選択図】図１
2019122278.tif 000002
【特許請求の範囲】
【請求項１】
内部に育苗中の苗を固定する播種培地を納めて栽培パレットに装着するものとして、両端の開口端部のうちの一方側が他方側よりも大径なものになっているメガホン状の内筒であり、外筒を上方にスライド可能に被嵌させたことを特徴とする育苗ホルダー。
【請求項２】
外筒は筒径の差によって内筒とは摩擦により固定される請求項１記載の育苗ホルダー。
【請求項３】
内筒の外面に、栽培パレットの装着時に鉛直方向で筒体が所定の高さで保持されて、且つ筒体全体が転倒しないための支えを設けた請求項１または請求項２記載の育苗ホルダー。
【請求項４】
内筒の内面に、播種培地保持用の係止部を形成した請求項１ないし請求項３のいずれかに記載の育苗ホルダー。
【請求項５】
内筒は遮光とした請求項１ないし請求項４のいずれかに記載の育苗ホルダー。
【発明の詳細な説明】
【技術分野】
【０００１】
本発明は、水耕栽培に供する植物に使用する育苗ホルダーに関するものである。
【背景技術】
【０００２】
水耕栽培では、下記特許文献３にもあるが、図４に示すような水槽１に定植孔としての孔３を有する栽培パレット２が蓋として設置され、ウレタンキューブによる播種培地４に植えた植物の苗５をこの播種培地４ごと孔３にセットする。
【０００３】
なお、水耕栽培に関する先行技術文献としては、下記に示すものがある。
【特許文献１】特開平９−１４０２８３号公報（植物の転倒を防止する支保構造の発明）
【特許文献２】特開平７−２８９０９５号公報（植物の転倒を防止する支保構造の発明）
【特許文献３】実開昭５９−０５２８５６号公報（播種培地を固定する発明）
【特許文献４】実用新案登録３０７４７３号公報（定植時の根絡みを防ぐ発明）
【発明の概要】
【発明が解決しようとする課題】
【０００４】
前記図４に示す水耕栽培に供する植物においては、いわゆる人工光を用いた植物工場での生産のように栽培密度（面積あたりの苗の数）が高いと定植前の育苗中に隣接する苗５同士の根が絡みやすく、側軸が水平に開いた場合に隣接する苗５同士の葉６が干渉しやすい。また、露地栽培のように土寄せできないことから苗５自体の胚軸８の支えが不十分となって倒れやすい。
【０００５】
そのほかにも配置上、育苗の全期間において、播種培地４の上半分が栽培光に晒され、藻の発生を誘引してしまう。藻の発生は栽培装置全体の汚染につながりやすく、病害の要因になるので望ましくない。
【０００６】
とくに育苗後半になると、播種培地（ウレタンキューブ）４から発芽した苗５の成長が著しく、隣接する苗５とで根７が絡み合い、また、葉６が重なり合うことがほぼ避けられない。
【０００７】
これは定植時に個々の苗５を取り出す際の支障となり、無理な分離で苗５を痛める原因となって望ましくない。さらに葉６の重なりは苗５への光の当たりを不均一にして苗５の成長著しい段階での成長速度のばらつきにつながる。
【０００８】
やはり育苗後半になると、胚軸８に対して上方の成長が大きくなるので、重心の関係から苗５がとくに倒れやすくなる。苗５が倒れると品質を損なうため望ましくない。
【０００９】
育苗中の播種培地（ウレタンキューブ）４は栽培パレット２に開けた孔３に挿入して保持する構造としている。よって定植時は播種培地４をこの孔３から抜き取り、成長した苗毎新たな定植場所の栽培パレット２の同様の孔３に再挿入して固定する。この際に根７が大きく開いていると、根７の開きの大きさに比べて小さな孔から挿入するので、作業が難しい。
【００１０】
前記特許文献１，２、４はこのような栽培パレット２を備えた水槽１に関するものではなく、前記問題の解決にはならない。
【００１１】
また、特許文献３は水耕栽培槽の蓋体の定植孔に挿入して、蓋体に懸吊させて用いる育苗床の保持具であって、（1）上部に蓋体に懸吊させるための鍔を有し、（2）嵌入した際．培養液に接する下部に根が保持具外に伸長してゆくことを妨げず、又育苗床を保持するに足る強度を持った開口部を有し、（３）育苗床が保持具内部に密接するよう維持されるものであるが、藻の発生を誘引の防止や、隣接する苗とで根が絡み合うことや、葉が重なり合うことの防止は行われていない。
【００１２】
さらに、特許文献３では、胚軸８に対して上方の成長が大きくなるので、重心の関係から苗５が倒れやすくなることの対策はなされていない。
【００１３】
本発明の目的は前記従来例の不都合を解消し、苗全体が倒れることを防いで育苗中の苗を安定して支保できるとともに、隣接する苗の根絡みや葉同士の干渉を防ぐことができる育苗ホルダーを提供することにある。
【００１４】
前記目的を達成するため請求項１記載の本発明は、内部に育苗中の苗を固定する播種培地を納めて栽培パレットに装着するものとして、両端の開口端部のうちの一方側が他方側よりも大径なものになっているメガホン状の筒体であり、外筒を上方にスライド可能に被嵌させたことを要旨とするものである。
【００１５】
請求項１記載の本発明によれば、播種培地を納めるのは、両端の開口端部のうちの一方側が他方側よりも大径なものになっているメガホン状の筒体であり、苗中の苗を固定する播種培地（ウレタンキューブ）を強度のある筒体の支保で覆うことができる。
【００１６】
さらに、筒体が下に窄まる形状となっており、定植時に新たな栽培場所の栽培パレットの固定孔に挿人する際に、筒体ごと孔に差し込むことで、根が作業の支障となりにくく、作業効率が上がる。
【００１７】
また、内筒による前記支保の上部は、外筒を上方にスライド可能としたので、葉が開いてきた時期に前記培地の上方に延長されて筒内に葉をまとめ隣接する苗葉との干渉を防ぐとともに、苗全体が倒れることを防ぐ支保としても作用する。
【００１８】
なお、葉のみならず育苗後半において筒体が根を隣接する苗と絡まない範囲にとりまとめるので、育苗中の光の当たりが均一で苗の生育が均等となる。また、定植時に苗を取り出す際に苗を痛めることがない。
【００１９】
請求項２記載の本発明は、外筒は筒径の差によって内筒とは摩擦により固定されることを要旨とするものである。
【００２０】
請求項２記載の本発明によれば、上方にスライドさせて筒体を延長させた外筒はそのまま内筒とは摩擦により固定されるので特に係止しなくてもよく、楽にセットできる。
【００２１】
請求項３記載の本発明は、内筒の外面に、栽培パレットの装着時に鉛直方向で筒体が所定の高さで保持されて、且つ筒体全体が転倒しないための支えを設けたことを要旨とするものである。
【００２２】
請求項３記載の本発明によれば、支えを設けたことで栽培パレットの装着時に鉛直方向で筒体が所定高さで保持されて、且つより筒体全体が転倒し難いものとなる。
【００２３】
請求項４記載の本発明は、内筒の内面に、播種培地保持用の係止部を形成したことを要旨とするものである。
【００２４】
請求項４記載の本発明によれば、播種培地保持用の係止部により播種培地が移動しないようにすることができる。
【００２５】
請求項５記載の本発明は、内筒は遮光としたことを要旨とするものである。
【００２６】
請求項５記載の本発明によれば、内筒は遮光とすることで、播種培地が遮光されて防藻効果がある。なお、外筒も遮光としてもよい。
【発明の効果】
【００２７】
以上述べたように本発明の育苗ホルダーは、内部に育苗中の苗を固定する播種培地を納めて栽培パレットに装着するものとして、苗全体が倒れることを防いで育苗中の苗を安定して支保できるとともに、隣接する苗の根絡みや葉同士の干渉を防ぐことができるものである。
【００２８】
さらに、苗周りに空間が形成され、通風が改善し育苗環境（温度、湿度、ＣＯ２など）が良好となる。また、根域の光が遮断されより健全な根域環境を形成することができる。
【図面の簡単な説明】
【００２９】
【図１】本発明の育苗ホルダーの１実施形態を示す縦断側面図である。
【図２】本発明の育苗ホルダーの１実施形態を示す斜視図である。
【図３】本発明の育苗ホルダーの１実施形態を示す展開図である。
【図４】従来例を示す縦断側面図である。
【発明を実施するための形態】
【００３０】
以下、図面について本発明の実施の形態を詳細に説明する。図１は本発明の育苗ホルダーの１実施形態を示す縦断側面図、図２は同上斜視図、図３は同上展開図で、水槽１に定植孔としての孔３を有する栽培パレット２が蓋として設置されるが、ウレタンキューブによる播種培地４に植えた植物の苗５をこの播種培地４ごとセットするための育苗ホルダーである。
【００３１】
育苗ホルダー１０は筒体は互いに重なり合った部位をもつ２重筒として、内筒１１と外筒１２とからなる。
【００３２】
内筒１１と外筒１２はともに両端の開口端部のうちの一方側が他方側よりも大径なものになっているメガホン状の筒体であり、外筒１２は内筒１１に対して上方にスライド可能に被嵌する。
【００３３】
上方にスライド可能な外筒１２はスライド後は筒径の差によって内筒１１とは摩擦により固定される。
【００３４】
内筒１１には苗５を固定する播種培地（ウレタンキューブ）４を内部に納めるもので、内面に、播種培地保持用の係止部１３を形成した。係止部１３は播種培地が移動しないためのストッパー（ツメ）であり、内筒１１の内面の周方向に連続する突条として、もしくは断続した突起として形成する。
【００３５】
内筒１１の外面に、栽培パレット２の装着時に鉛直方向で筒体が所定の高さで保持されて、且つ筒体全体が転倒しないための支え１４を設けた。
【００３６】
この支え１４もツメとして形成することができ、周方向に連続する突条として、もしくは断続した突起として形成する。
【００３７】
前記係止部１３や支え１４を構成するツメは栽培トレイの孔に、内側は播種培地に、各々引っかかればよいだけなので重心バランス的には円周方向に三箇所以上の部分的な出っ張りがあるなら形状は特に問わない。
【００３８】
さらに、内筒１１と外筒１２を構成する材質としては、衛生面からプラスチック樹脂やステンレス等の難腐食性の金属が採択され、係止部１３や支え１４を一体成形する成形の容易性やコスト面からは樹脂が好適である。
【００３９】
また、内筒１１もしくは内筒１１と外筒１２は黒色等の遮光としておけば、播種培地４を黒色の筒体で覆うことになるので播種培地４が遮光されて防藻効果がある。
【００４０】
なお、外筒１２はこれを透明または半透明として採光性を確保することも可能である。
【００４１】
次に使用法について説明する。育苗ホルダー１０は内筒１１に苗５を固定する播種培地（ウレタンキューブ）４を納める。その際、播種培地４はウレタンなので押し込めば、係止部１３に引っ掛けて動かないようにすることができる。
【００４２】
内筒１１を水槽１の栽培パレット２の孔３に挿入し、支え１４を孔３に引っかければ、鉛直方向で所定の高さで保持され、且つ筒体全体が転倒しないようにすることができる。
【００４３】
育苗後半において内筒１１が葉６や根７を隣接する苗と干渉したり絡んだりしない範囲にとりまとめるので、育苗中の光の当たりが均一で苗の生育が均等となる。また、定植時に苗５を取り出す際に苗を痛めることがない。
【００４４】
さらに、育苗後半に外筒１２を上に伸ばすことで前記した葉６のとりまとめ効果と同時に、苗全体を葉６を介して支えることもできる。
【符号の説明】
【００４５】
１…水槽                        ２…栽培パレット
３…孔                          ４…播種培地
５…苗                          ６…葉
７…根                          ８…胚軸
１０…育苗ホルダー              １１…内筒
１２…外筒                      １３…係止部
１４…支え
【図１】
2019122278.tif 000003
【図２】
2019122278.tif 000004
【図３】
2019122278.tif 000005
【図４】
2019122278.tif 000006